(57)【要約】【課題】本発明は、撮像装置による盗撮を妨害し得る。【解決手段】本発明は、撮像妨害照明装置２において赤外ＬＥＤ７により発光出力を周期的に増減させて赤外線を発することにより妨害赤外光ＬＩＲを照射すると共に、赤色ＬＥＤ６Ａ、緑色ＬＥＤ６Ｂ及び青色ＬＥＤ６Ｃが同色毎に時分割に周期的に発光することにより妨害照明光ＬＲＧＢ　を照射し、スチルカメラ３Ａにおいてフラッシュライトが発光された際には妨害フラッシュライト９をスレーブ発光することにより妨害フラッシュ光ＬＦ　を照射することにより、人間が知覚する照明対象４の色合いと撮像装置３によって撮影された画像の照明対象４の色合いとを異ならせることができ、かくして撮像装置による照明対象４に対する盗撮を妨害できる。【選択図】　　　　図１
2004111213.tif 000002
【特許請求の範囲】
【請求項１】
照明対象に光を照らす照明装置において、
それぞれ異なる波長でなる複数の単色光を発する光源と、
上記光源を制御し、上記複数の単色光を時分割に周期的に発することにより当該複数の単色光を加色混合させる光源制御手段と
を具えることを特徴とする照明装置。
【請求項２】
上記光源は、上記光源制御手段の制御によって時分割に周期的に発することにより上記加色混合させた際に白色光となるように上記複数の単色光が選定されている
ことを特徴とする請求項１に記載の照明装置。
【請求項３】
上記光源は、上記複数の単色光として赤色光、緑色光及び青色光を発する
ことを特徴とする請求項２に記載の照明装置。
【請求項４】
上記照明対象に赤外線を照射する赤外照射手段と、
上記赤外照射手段を制御し、上記赤外線の発光量を周期的に変化させる赤外制御手段と
を具えることを特徴とする請求項１に記載の照明装置。
【請求項５】
上記撮像装置の撮像側発光手段が発光したことを検知する発光検知手段と、
上記発光検知手段により上記撮像装置の撮像側発光手段の発光を検知すると、当該撮像側発光手段よりも強い発光量で発光する発光手段と
を具えることを特徴とする請求項４に記載の照明装置。
【請求項６】
上記撮像装置から上記照明対象に対する撮影禁止の解除を要求する要求信号を受信する受信手段を具え、
上記受信手段を介して上記撮像装置から上記要求信号を受信すると、上記光源制御手段により上記光源を制御して上記複数の単色光を一時的に同時に発するとともに、上記赤外照射手段による上記赤外線及び上記発光手段による発光を一時的に中止する
ことを特徴とする請求項５に記載の照明装置。
【請求項７】
照明対象に光を照らす照明装置において、
それぞれ異なる波長でなる複数の単色光を発する光源を制御し、上記複数の単色光を時分割に周期的に発することにより当該複数の単色光を加色混合させる光源制御ステップ
を具えることを特徴とする照明方法。
【発明の詳細な説明】
【０００１】
【発明の属する技術分野】
本発明は照明装置に関し、例えば撮像装置による盗撮が禁止されている美術品やアーチスト等に対して光を照らす照明装置に適用して好適なものである。
【０００２】
【従来の技術】
今日、博物館や美術館、コンサート等において著作権や肖像権の保護等の観点から、美術品やアーチストを例えばスチルカメラやビデオカメラ等の撮像装置によって無断で撮影する、いわゆる盗撮を妨害するため、赤外光をある程度の強さ以上にして被写体自体から外部に照射する盗撮妨害装置が提案されている（例えば、特許文献１参照）。
【０００３】
【特許文献１】
特開２００１−３１３００６
【０００４】
【発明が解決しようとする課題】
【０００５】
ところでかかる盗撮防止装置においては、赤外光が照射点を中心としてある半径範囲だけに照射され、赤外光の照射方向前方からの撮影に対してのみ撮影不可能にすることから、美術品やアーチストの盗撮を完全に妨害するためには所定の大きさの盗撮防止装置を当該美術品等に複数個取り付ける必要があり、当該美術品等の美観が損なわれることになる。
【０００６】
一方、美術品やアーチストに対して盗撮を予測した箇所にだけ盗撮防止装置を取り付けた場合であっても、博物館や美術館、コンサート等のように不特定多数の人が訪れるような広い場所では、美術品やアーチストに対する撮影が必ずしも赤外光の照射方向前方から行われるとは限らず、当該照射方向前方以外の予測しない方向から撮影される可能性もあることから必ずしも盗撮を妨害できないという問題があった。
【０００７】
本発明は以上の点を考慮してなされたもので、撮像装置による盗撮を妨害し得る照明装置を提案しようとするものである。
【０００８】
【課題を解決するための手段】
かかる課題を解決するため本発明においては、照明対象に光を照らす照明装置において、それぞれ異なる波長でなる複数の単色光を発する光源と、当該光源を制御し、複数の単色光を時分割に周期的に発することにより当該複数の単色光を加色混合させる光源制御手段とを設けるようにした。
【０００９】
従って、照明装置は、照明対象が撮像装置により撮影されても、当該撮像装置において照明対象を離散的に撮像していることから、当該撮像された時点で発光した単色光に基づいて、人間が知覚する加色混合された色合いと異なる色合いの画像で照明対象を撮影させて撮像装置におけるカラーバランスを狂わせることができる。
【００１０】
【発明の実施の形態】
以下図面について、本発明の一実施の形態を詳述する。
【００１１】
図１において、１は全体として撮像妨害システムを示し、撮像妨害照明装置２は、美術品やアーチスト等の照明対象４に対して妨害照明光ＬＲＧＢ　、妨害赤外光ＬＩＲ及び妨害フラッシュ光ＬＦ　を広範囲に照射することにより、スチルカメラ３Ａやビデオカメラ３Ｂ等の撮像装置３によって無断で照明対象４が撮影される、いわゆる盗撮を妨害する。
【００１２】
また撮像妨害照明装置２は、撮像装置３との間で赤外線により通信し得るようになされており、当該撮像装置３から送信された妨害光解除要求信号を受信すると、当該妨害光解除要求信号に応じて妨害照明光ＬＲＧＢ　、妨害赤外光ＬＩＲ及び妨害フラッシュ光ＬＦ　の照射を一時的に中止した後、撮像許可信号を撮像装置３へ送信することにより一時的に撮影可能であることを通知し、照明対象４を特定の撮像装置３に対してのみ撮影させるようになされている。
【００１３】
実際上、撮像妨害照明装置２の照明対象４に対向する対向面２Ａには、図２に示すように、撮像妨害モジュール５が設けられている。
【００１４】
この撮像妨害モジュール５は、その左部に赤色光を発する赤色ＬＥＤ６Ａと緑色光を発する緑色ＬＥＤ６Ｂと青色光を発する青色ＬＥＤ６Ｃとを一組とした照明用の光源が規則的に複数配置された照明ＬＥＤ群６を有し、各赤色ＬＥＤ６Ａ、緑色ＬＥＤ６Ｂ及び青色ＬＥＤ６Ｃが同色毎にそれぞれ時分割で周期的に順次発光することにより妨害照明光ＬＲＧＢ　を照射する。
【００１５】
また撮像妨害モジュール５は、光源としての照明ＬＥＤ群６の下側に赤外線を発する複数の赤外ＬＥＤ７が設けられており、各赤外ＬＥＤ７が周期的に発光量を増減させながら赤外線を発することにより妨害赤外光ＬＩＲを照射する。
【００１６】
さらに撮像妨害モジュール５は、その中央近傍に撮像装置３におけるフラッシュライトの発光を検知するフラッシュ検知用フォトダイオード８と、当該フラッシュ検知用フォトダイオード８の上側に妨害フラッシュライト９とが設けられており、撮像装置３のフラッシュライトの発光に応じて妨害フラッシュライト９がスレーブ発光することにより妨害フラッシュ光ＬＦ　を照射する。
【００１７】
さらに加えて撮像妨害モジュール５は、その右部に撮像装置３から送信された妨害光解除要求信号を受信する解除信号受信用フォトダイオード１０と、当該解除信号受信用フォトダイオード１０を介して妨害光解除要求信号を受信すると、これに応じて撮像装置３へ撮影許可信号を送信する通信用ＬＥＤ１１とが設けられている。
【００１８】
因みに赤外ＬＥＤ７は、赤外線の照射を数十［〓］の間隔で停止することにより、解除信号受信用フォトダイオード１０及び通信用ＬＥＤ１１を用いて行われる赤外線通信と赤外ＬＥＤ７による赤外線との干渉を防止し得る。
【００１９】
実際上、撮像妨害照明装置２の内部には、図３に示すように、当該撮像妨害証明装置２における各種機能を統括的に制御する制御部２０に色循環信号発生部２１、赤外ＬＥＤ駆動信号発生部２２、フラッシュ駆動部２３及び解除信号判定部２４が接続されているとともに、色循環信号発生部２１にアンプ２５Ａ〜２５Ｂを介して照明ＬＥＤ群６の赤色ＬＥＤ６Ａ、緑色ＬＥＤ６Ｂ及び青色ＬＥＤ６Ｃがそれぞれ接続され、赤外ＬＥＤ駆動信号発生部２２にアンプ２６を介して赤外ＬＥＤ７が接続されている。
【００２０】
また、フラッシュ駆動部２３には、フラッシュ検知用フォトダイオード８が接続されたパルス検知部２７と、発光手段としての妨害フラッシュライト９とが接続され、解除信号判定部２４には、解除信号受信フォトダイオード１０と、アンプ２８を介して通信用ＬＥＤ１１が接続された解除信号発生部２９とが接続されている。
【００２１】
この場合、制御部２０は、撮像装置３による照明対象４の撮影を妨害する撮像妨害モード時、光源制御手段としての色循環信号発生部２１によって色循環信号を生成し、これをアンプ２５Ａ〜２５Ｃを介して所定の信号レベルまで増幅した後、照明ＬＥＤ群６の赤色ＬＥＤ６Ａ、緑色ＬＥＤ６Ｂ及び青色ＬＥＤ６Ｃにそれぞれ送出する。
【００２２】
これにより照明ＬＥＤ群６は、色循環信号に基づいて赤色ＬＥＤ６Ａ、緑色ＬＥＤ６Ｂ及び青色ＬＥＤ６Ｃからそれぞれ赤色光、緑色光及び青色光を時分割で周期的に発することにより妨害照明光ＬＲＧＢ　を照射するようになされている。
【００２３】
ここで赤色ＬＥＤ６Ａの発光特性としては、図４に示すように、半値幅３０［ｎｍ］程度で波長６６０［ｎｍ］付近にピークを有する赤色光を発し、緑色ＬＥＤ６Ｂの発光特性としては、半値幅３０［ｎｍ］程度で波長５２０［ｎｍ］付近にピークを有する緑色光を発する。また青色ＬＥＤ６Ｃの発光特性としては半値幅３０［ｎｍ］程度で波長４６０［ｎｍ］付近にピークを有する青色光を発する。
【００２４】
そして、照明ＬＥＤ群６は、図５に示すように、ＣＩＥ（Ｃｏｍｍｉｓｓｉｏｎ　Ｉｎｔｅｒｎａｔｉｏｎａｌ　ｄｅ　１’Ｅｃｌａｉｒａｇｅ）　の色度図において、赤色光、緑色光及び青色光が加色混合されると白色光Ｗ１になるように赤色ＬＥＤ６Ａ、緑色ＬＥＤ６Ｂ及び青色ＬＥＤ６Ｃの輝度がそれぞれ設定されている。
【００２５】
また照明ＬＥＤ群６は、人間の視覚に生ずる残像現象によって赤色光、緑色光及び青色光が加色混合され白色光Ｗ１として知覚されるような発光期間で赤色ＬＥＤ６Ａ、緑色ＬＥＤ６Ｂ及び青色ＬＥＤ６Ｃが時分割に周期的に発光するようになされている。
【００２６】
実際上、図６に示すように、照明ＬＥＤ群６においては、各赤色ＬＥＤ６Ａ、緑色ＬＥＤ６Ｂ及び青色ＬＥＤ６Ｃの発光期間Ｔａ　がビデオカメラ３Ｂの撮像期間ｔ（例えば１フィールド１／６０秒）の１／４に設定されていることにより、各撮像期間ｔ毎に赤色ＬＥＤ６Ａ、緑色ＬＥＤ６Ｂ及び青色ＬＥＤ６Ｃの発光回数が不規則に変化するようになされている。
【００２７】
従って、ビデオカメラ３Ｂでは、１フィールド毎（すなわち撮像期間ｔ毎）に照明対象４が離散的に撮影されていることにより、フィールドＦ１では赤色ＬＥＤ６Ａが２回発光していることから赤色光に帯びた画像となり、また次のフィールドＦ２では緑色ＬＥＤ６Ｂが２回発光していることから緑色光に帯びた画像となる。
【００２８】
かくして撮像妨害照明装置２では、ビデオカメラ３Ｂによって照明対象４が撮影されると、当該撮影したことにより得られた時間的に連続する複数のフィールドＦ１、Ｆ２、……に対して、当該フィールドＦ１、Ｆ２、……毎に画像の色合いを変化させることによりフリッカを発生させ、この結果ビデオカメラ３Ｂによる撮影を妨害し得るようになされている。
【００２９】
また撮像妨害照明装置２では、スチルカメラ３Ａによって照明対象４が撮影されると、当該撮影した瞬間に発光した赤色ＬＥＤ６Ａ、緑色ＬＥＤ６Ｂ又は青色ＬＥＤ６Ｃによる発光色の色合いに画像を変化させて当該画像のカラーバランスを狂わせ、これによりスチルカメラ３Ａによる撮影を妨害し得るようになされている。
【００３０】
ところでスチルカメラ３Ａによっては、撮像側発光手段としてフラッシュライトを有し、照明対象４を撮影する際に当該フラッシュライトが発光される場合がある。
【００３１】
この場合、撮像妨害照明装置２では、スチルカメラ３Ａのフラッシュライトの光量が照明ＬＥＤ群６の光量よりも大きいため、スチルカメラ３Ａによる照明対象４の撮影を照明ＬＥＤ群６の妨害照明光ＬＲＧＢ　によって妨害し得ない。
【００３２】
このとき撮像妨害照明装置２では、スチルカメラ３Ａにおけるフラッシュライトの発光に応じて妨害フラッシュライト９をスレーブ発光することにより妨害フラッシュ光ＬＦ　を照射し、当該スチルカメラ３Ａによる照明対象４の撮影を妨害し得るようになされている。
【００３３】
実際上、制御部２０は、図７（ａ）に示すように、スチルカメラ３Ａにおいてフラッシュライトが発光されると、フラッシュ検知用フォトダイオード８を介して当該フラッシュライトの発光を受光し、これを光電変換することにより、図７（ｂ）に示すようなフォトダイオード出力信号を得、当該フォトダイオード出力信号をパスル検知部２７へ送出する。
【００３４】
発光検知手段としてのパスル検知部２７は、フラッシュ検知用フォトダイオード８から供給さらたフォトダイオード出力信号を微分することにより、図７（ｃ）に示すような微分出力信号を得、当該微分出力信号に基づいてフラッシュ検知用フォトダイオード８を介して受光した発光がスチルカメラ３Ａのフラッシュライトの発光であるか否かを判断し、当該フラッシュライトの発光である場合には当該微分出力信号をフラッシュ駆動部２３に送出する。
【００３５】
フラッシュ駆動部２３は、微分出力信号に基づいてフラッシュ出力信号を生成した後、これを妨害フラッシュライト９へ送出する。
【００３６】
これにより妨害フラッシュライト９は、フラッシュ出力信号に基づいて、図７（ｄ）に示すように、スチルカメラ３Ａのフラッシュライトが発光されてから数［〓］後にスレーブ発光する。
【００３７】
かくして撮像妨害照明装置２では、スチルカメラ３Ａのフラッシュライトの光量に比して約１００倍程度の光量で妨害フラッシュライト９を発光することにより妨害フラッシュ光ＬＦ　を照射し、当該スチルカメラ３Ａに対して露出オーバさせ、当該フラッシュライトの発光を伴うスチルカメラ３Ａによる照明対象４の撮影を妨害し得るようになされている。
【００３８】
因みに妨害フラッシュライト９の発光特性としては、図４に示したように、波長４００［ｎｍ］〜６５０［ｎｍ］付近までほぼ平坦となり、波長６５０［ｎｍ］付近から左下がりとなる。
【００３９】
これに加えて撮像妨害照明装置２は、撮像妨害モード時、照明ＬＥＤ群６により妨害照明光ＬＲＧＢ　を照射するとともに、赤外照射手段としての赤外ＬＥＤ７により妨害赤外光ＬＩＲを照射する。
【００４０】
実際上、制御部２０は、赤外制御手段としての赤外ＬＥＤ駆動信号発生部１２によって、周期的に変化する赤外ＬＥＤ駆動信号を生成し、これをアンプ２１を介して所定の信号レベルまで増幅した後、赤外ＬＥＤ７へ送出する。
【００４１】
これにより赤外ＬＥＤ７は、赤外ＬＥＤ駆動信号に基づいて発光量を周期的に増減しながら赤外線を発することにより妨害赤外光ＬＩＲを照射する。
【００４２】
ここで赤外ＬＥＤ７の発光特性としては、図４に示したように、半値幅５０［ｎｍ］程度で波長８７０［ｎｍ］付近にピークを有する赤外線を発する。
【００４３】
ところでスチルカメラ３Ａやビデオカメラ３Ｂ等の撮像装置３に一般的に用いられているＣＣＤ（Ｃｈａｒｇｅ　Ｃｏｕｐｌｅｄ　Ｄｅｖｉｃｅ）　撮像素子の感度特性は、図８に示すように、可視光の範囲のみならず、人間の視覚に見えない赤外線のような長い波長（波長が約７００［ｎｍ］以上）に対しても感度を有し、人間の視感度特性とは異なる。
【００４４】
従って、撮像装置３においては、図９に示すように、赤外線を除去する特性を有する赤外線カットフィルタを設けることにより、ＣＣＤ撮像素子において人間の視覚と同じ可視光の範囲で感度を有するように補正している。
【００４５】
このため撮像装置３のＣＣＤ撮像素子に到達する赤外ＬＥＤ７による赤外線は、赤外線カットフィルタにより赤外ＬＥＤ７のピーク８７０［ｎｍ］付近で数パーセント程度に減衰し、当該撮像装置３の露出を大幅に狂わすには至らない。
【００４６】
しかしながら、撮像妨害照明装置２は、赤外ＬＥＤ７において赤外線の発光量を周期的に増減させて妨害赤外光ＬＩＲを照射していることにより、当該発光量に応じて撮像装置３における露出を変動させる。
【００４７】
従って撮像妨害照明装置２は、ビデオカメラ３Ｂに対して、赤外ＬＥＤ７により周期的に増減する発光量に応じて露出を変動させることによりフリッカを発生させ、当該ビデオカメラ３Ｂによる照明対象４の撮影を妨害し得るようになされている。
【００４８】
また撮像妨害照明装置２は、スチルカメラ３Ａによって照明対象４が撮影されると、当該撮影された瞬間の赤外ＬＥＤ７における赤外線の発光量に応じて露出を狂わせ、これによりスチルカメラ３Ａによる撮影を妨害し得るようになされている。
【００４９】
その一方、撮像妨害照明装置２は、撮像装置３から妨害光解除要求信号を受信すると、妨害照明光ＬＲＧＢ　、妨害赤外光ＬＩＲ及び妨害フラッシュ光ＬＦ　の照射を一時的に中止して当該撮像装置３による照明対象４の撮影を一時的に許可する撮影許可モードに移行するようになされている。
【００５０】
実施上、制御部２０は、撮像装置３から受信信号を解除信号受信フォトダイオード１１を介して受信すると、これを解除信号判定部２４へ送出する。
【００５１】
制御部２０は、解除信号判定部２４によって、受信手段としての解除信号受信フォトダイオード１１を介して受信した受信信号が妨害光解除要求信号であるか否かを判定し、当該妨害光解除要求信号であると判定した場合、撮像妨害モードから撮像許可モードへ移行する。
【００５２】
これにより制御部２０は、妨害光解除要求信号に基づいて色循環信号発生部２１を制御し、照明ＬＥＤ群６の赤色ＬＥＤ６Ａ、緑色ＬＥＤ６Ｂ又は青色ＬＥＤ６Ｃを一定の発光量で同時に発光することにより加色混合された白色光Ｗ１を照射し、妨害照明光ＬＲＧＢ　の照射を一時的に中止する。
【００５３】
また制御部２０は、妨害光解除要求信号に基づいて赤外ＬＥＤ駆動信号生成部２２及びフラッシュ駆動部２３を制御し、赤外ＬＥＤ７による赤外線の照射及び妨害フラッシュライト９によるスレーブ発光を中止することにより妨害赤外光ＬＩＲ及び妨害フラッシュ光ＬＦ　の照射を一時的に中止する。
【００５４】
このとき制御部２０は、解除信号発生部２９によって撮影許可信号を生成し、これをアンプ２３を介して所定の信号レベルまで増幅した後、通信用ＬＥＤ１１を介して妨害光解除要求信号を送信した撮像装置３へのみ送信する。
【００５５】
制御部２０は、撮影許可信号を撮像装置３へ送信してから所定時間経過後、撮像許可モードから撮像妨害モードへ再び移行し、撮像装置３による照明対象４の撮影を妨害する。
【００５６】
これにより撮像妨害照明装置２では、妨害光解除要求信号を送信した撮像装置３に対してのみ撮影可能な所定時間を通知することにより、当該撮像装置３に対して撮像可能な所定時間内においてのみ照明対象４を撮影させるようになされている。
【００５７】
実際上、制御部２０は、例えば所定のスイッチ（図示せず）が押下されることにより電源の投入が指示されると、各回路ブロックに対して電力を供給し、図示しない当該制御部２０内のＲＯＭからＲＡＭに撮像妨害処理プログラムを転送して立ち上げて、図１０に示す撮像妨害処理手順をルーチンＲＴ１の開始ステップから入って開始し、ステップＳＰ１へ移る。
【００５８】
ステップＳＰ１において制御部２０は、照明ＬＥＤ群６によって赤色ＬＥＤ６Ａ、緑色ＬＥＤ６Ｂ及び青色ＬＥＤ６Ｃを時分割で周期的に順次発光することにより妨害照明光ＬＲＧＢ　の照射を開始し、次のステップＳＰ２へ移る。
【００５９】
ステップＳＰ２において制御部２０は、赤外ＬＥＤ７によって、発光量を周期的に増減して赤外線を発することにより妨害赤外光ＬＩＲの照射を開始し、次のステップＳＰ３へ移る。
【００６０】
ステップＳＰ３において制御部２０は、例えばスイッチが再び押下されたことにより各回路ブロックに対する電力の供給が中止されたか否かを判断する。
【００６１】
ステップＳＰ３で肯定結果が得られると、このことはスイッチが押下されたことにより撮像妨害照明装置２内の各回路ブロックに対する電力の供給が中止されたこと、すなわち照明ＬＥＤ群６、赤外ＬＥＤ７及び妨害フラッシュライト９の発光が中止されたことを表しており、このとき制御部２０は、次のステップＳＰ９に移って撮像妨害処理手順を終了する。
【００６２】
これに対してステップＳＰ３で否定結果が得られると、このことはスイッチが押下されておらず、撮像妨害照明装置２内の各回路ブロックに対して電力が供給され続けて動作可能な状態で起動していること、すなわち照明ＬＥＤ群６により妨害照明光ＬＲＧＢ　が照射され続けているとともに、赤外ＬＥＤ７により妨害赤外光ＬＩＲが照射され続けていることを表しており、このとき制御部２０は、次のステップＳＰ４へ移る。
【００６３】
ステップＳＰ４において制御部２０は、パルス検知部２７により、フラッシュ検知用フォトダイオード８を介してスチルカメラ３Ａにおけるフラッシュライトの発光を受光したが否かを判断する。
【００６４】
ここで肯定結果が得られると、このことはフラッシュ検知用フォトダイオード８を介してスチルカメラ３Ａにおけるフラッシュライトの発光を受光したこと、すなわスチルカメラ３Ａがフラッシュライトを発光させて照明対象４を撮影したことを表しており、このとき制御部２０は次のステップＳＰ５へ移る。
【００６５】
ステップＳＰ５において制御部２０は、フラッシュ駆動部２３によって、妨害フラッシュライト９をスレーブ発光することにより妨害フラッシュ光ＬＦ　を照射し、ステップＳＰ６へ戻る。
【００６６】
これに対してステップＳＰ４で否定結果が得られると、このことはフラッシュ検知用フォトダイオード８を介してスチルカメラ３Ａにおけるフラッシュライトの発光を受光していないこと、すなわちスチルカメラ３Ａがフラッシュライトを発光させて照明対象４を撮影していないことを表しており、このとき制御部２０は次のステップＳＰ６へ移る。
【００６７】
ステップＳＰ６において制御部２０は、解除信号判定部２４により、解除信号受信フォトダイオード１０を介して撮像装置３から妨害光解除要求信号を受信したか否かを判断する。
【００６８】
ここで否定結果が得られると、このことは解除信号受信フォトダイオード１０を介して撮像装置３から妨害光解除要求信号を受信していないことを表しており、このとき制御部２０は、再びステップＳＰ３に戻り上述した処理を繰り返す。
【００６９】
これに対してステップＳＰ６で肯定結果が得られると、このことは解除信号受信フォトダイオード１０を介して撮像装置３から妨害光解除要求信号を受信したこと、すなわち特定の撮像装置３において照明対象４を撮影できることを表しており、このとき制御部２０は、次のステップＳＰ７へ移る。
【００７０】
ステップＳＰ７において制御部２０は、照明ＬＥＤ群６の赤色ＬＥＤ６Ａ、緑色ＬＥＤ６Ｂ又は青色ＬＥＤ６Ｃを一定の発光量で同時に発光することにより妨害照明光ＬＲＧＢ　の照射を中止するとともに、赤外ＬＥＤ７による妨害赤外光ＬＩＲ及び妨害フラッシュライト９による妨害フラッシュ光ＬＦ　の照射を中止する。
【００７１】
このとき制御部２０は、通信用ＬＥＤ１１を介して撮影許可信号を撮像装置３へ送信することにより撮影可能な時間を通知し、次のステップＳＰ８へ移る。
【００７２】
ステップＳＰ８において制御部２０は、図示しない当該制御部２０内の内部クロックにより一定時間経過したか否かを判断し、当該一定時間経過するまで待ち受ける。
【００７３】
ステップＳＰ８で肯定結果が得られると、このことは制御部２０内の内部クロックにより計時していた時間が一定時間経過したことを表しており、このとき制御部２０は再びステップＳＰ１へ移って上述した処理を繰り返し、再び照明ＬＥＤ群６による妨害照明光ＬＲＧＢ　を照射開始するとともに、赤外ＬＥＤ７による妨害赤外光ＬＩＲを照射開始する。
【００７４】
以上の構成において、撮像妨害照明装置２では、撮像妨害モード時、赤色ＬＥＤ６Ａ、緑色ＬＥＤ６Ｂ及び青色ＬＥＤ６Ｃを時分割で周期的に発光することにより妨害照明光ＬＲＧＢ　を照射する。
【００７５】
これにより撮像妨害照明装置２は、人間の視覚に生ずる残像現象によって赤色光、緑色光及び青色光が加色混合され白色光Ｗ１として知覚させ、かくして白色光Ｗ１により照明対象４を明るく照らすことができる。
【００７６】
このとき撮像妨害照明装置２では、スチルカメラ３Ａにより無断で照明対象４が撮影されても、当該スチルカメラ３Ａにおいて照明対象４が撮影された瞬間に発光した赤色ＬＥＤ６Ａ、緑色ＬＥＤ６Ｂ又は青色ＬＥＤ６Ｃによる発光色を帯びた色合いの画像とし、これによりスチルカメラ３Ａによる盗撮を妨害できる。
【００７７】
また撮像妨害照明装置２では、ビデオカメラ３Ｂにより照明対象４が撮影されても、１フィールドＦ１、Ｆ２、……毎に照明ＬＥＤ群６の赤色ＬＥＤ６Ａ、緑色ＬＥＤ６Ｂ又は青色ＬＥＤ６Ｃのいずれかの発光色を帯びた色合いの画像としフリッカを発生させる。
【００７８】
そして撮像妨害照明装置２では、撮像妨害モード時、スチルカメラ３Ａにおいて照明対象４を撮影する際にフラッシュライトが発光された場合でも、妨害フラッシュライト９をスレーブ発光することにより露出オーバさせ、これによりスチルカメラ３Ａによるフラッシュライトを用いた盗撮を妨害できる。
【００７９】
さらに撮像妨害照明装置２では、撮像妨害モード時、赤外ＬＥＤ７から発光量を周期的に増減して赤外線を発することにより妨害赤外光ＬＩＲを照射するようにした。
【００８０】
これにより撮像妨害照明装置２では、スチルカメラ３Ａにおいて照明対象４が撮影された瞬間に赤外ＬＥＤ７によって照射している妨害赤外光ＬＩＲにより露出を狂わせ、かくしてスチルカメラ３Ａによる盗撮を一段と妨害できる。
【００８１】
また撮像妨害照明装置２では、ビデオカメラ３Ｂにおいて照明対象４が撮影されると、赤外ＬＥＤ７による赤外線の周期的な発光量の増減に応じてフリッカを発生させ、かくしてビデオカメラ３Ｂによる盗撮を一段と妨害できる。
【００８２】
一方、撮像妨害照明装置２では、撮像装置３から妨害光解除要求信号を受信すると、妨害照明光ＬＲＧＢ　、妨害赤外光ＬＩＲ及び妨害フラッシュ光ＬＦ　の照射を一時的に中止するとともに、妨害光解除要求信号を送信した撮像装置３に対してのみ照明対象４の撮影をさせるように撮影可能な所定時間を通知するようにした。
【００８３】
これにより撮像妨害照明装置２では、不特定多数の人が出入りし、照明対象４が盗撮される可能がある場所であっても、盗撮ではなく正当な目的で照明対象４を撮影できる人に対して撮影可能な所定時間内に撮影させることができる。
【００８４】
以上の構成によれば、撮像妨害照明装置２では、赤外ＬＥＤ７により発光量を周期的に増減させて赤外線を発することにより妨害赤外光ＬＩＲを照射するとともに、赤色ＬＥＤ６Ａ、緑色ＬＥＤ６Ｂ及び青色ＬＥＤ６Ｃが同色毎に時分割で周期的に発光することにより妨害照明光ＬＲＧＢ　を照射し、スチルカメラ３Ａにおいてフラッシュライトが発光された際には妨害フラッシュライト９をスレーブ発光することにより妨害フラッシュ光ＬＦ　を照射するようにしたことにより、人間が知覚する照明対象４の色合いと撮像装置３によって撮影された画像の色合いとを異ならせることができ、かくして撮像装置３による盗撮を妨害できる。
【００８５】
なお上述の実施の形態においては、照明ＬＥＤ群６において赤色ＬＥＤ６Ａ、緑色ＬＥＤ６Ｂ及び青色ＬＥＤ６Ｃを時分割で周期的に発光させることにより白色光Ｗ１を知覚させるようにした場合について述べたが、本発明はこれに限らず、照明ＬＥＤ群５０において赤色ＬＥＤ６Ａ、緑色ＬＥＤ６Ｂ及び青色ＬＥＤ６Ｃの他、単色光としてシアンの色光を発光するシアンＬＥＤ６Ｄを時分割で周期的に発光させることにより白色光を知覚させるようにしたり、この他種々の単色光を発する光源を用いて時分割で周期的に発光させることにより白色光を知覚させるようにしても良い。
【００８６】
この場合、シアンＬＥＤ６Ｄの発光特性は、図４に示した赤色ＬＥＤ６Ａや緑色ＬＥＤ６Ｂ、青色ＬＥＤ６Ｃ等の発光特性と同様に示すと、図１１に示すように、半値幅が３０［ｎｍ］程度で４９０［ｎｍ］付近にピークを有するシアン光を発する。
【００８７】
そして、照明ＬＥＤ群５０は、図１２に示すように、ＣＩＥの色度図上において赤色光、青色光及びシアン光と、赤色光、青色光及び緑色光とがそれぞれ加色混合されることにより白色領域Ｃ内の白色光Ｗ２となるように赤色ＬＥＤ６Ａ、緑色ＬＥＤ６Ｂ、青色ＬＥＤ６Ｃ及びシアンＬＥＤ６Ｄの各輝度が設定されている。
【００８８】
因みに白色領域Ｃは、一般的に上述した白色光Ｗ１と同一の白色光とみなされた色度範囲を示すものである。
【００８９】
また照明ＬＥＤ群５０は、人間の視覚に生ずる残像現象によって赤色光、緑色光及び青色光が加色混合されて白色光Ｗ２と知覚されるとともに、赤色光、青色光及びシアン光が加色混合されて白色光Ｗ２と知覚されるような発光期間で赤色ＬＥＤ６Ａ、緑色ＬＥＤ６Ｂ、青色ＬＥＤ６Ｃ及びシアンＬＥＤ６Ｄが時分割に周期的に発光するようになされている。
【００９０】
実際上、図１３に示すように、照明ＬＥＤ群５０においては、各赤色ＬＥＤ６Ａ、緑色ＬＥＤ６Ｂ、青色ＬＥＤ６Ｃ及びシアンＬＥＤ６Ｄの発光期間Ｔｂがビデオカメラ３Ｂの撮像期間ｔ（例えば１フィールド１／６０秒）の１／３に設定されていることにより、各撮像期間ｔ毎に赤色ＬＥＤ６Ａ、緑色ＬＥＤ６Ｂ及びシアンＬＥＤ６Ｄと、赤色ＬＥＤ６Ａ、緑色ＬＥＤ６Ｂ及び青色ＬＥＤ６Ｃとが交互に発光するようになされている。
【００９１】
ところで撮像装置３では、人間の視感度特性と当該撮像装置３のＣＣＤ撮像素子の分光感度特性とが異なることから、図１４に示すように、例えばシアンＬＥＤ６Ｄが発光する波長のピーク４９０［ｎｍ］付近では人間の視覚に対してはシアン光となるが、ＣＣＤ撮像素子の分光感度特性によると青色光の発光強度が緑色光の発光強度より強くなることから青色光に帯びた色合いの画像となる。
【００９２】
従って、ビデオカメラ３Ｂでは、１フィールドＦ１、Ｆ２、……毎（すなわち撮像期間ｔ毎）に照明対象４が離散的に撮影されていることにより、フィールドＦ１ではシアンＬＥＤ６Ｄが発光されていることから青色光に帯びた画像となり、また次のフィールドＦ２では赤色光、緑色光及び青色光が加色混合された白色光Ｗ２の画像となる。
【００９３】
このようにして撮像妨害照明装置２では、ビデオカメラ３Ｂによって照明対象４が撮影されると、当該撮影したことにより得られた時間的に連続する複数のフィールドＦ１、Ｆ２、……に対して、当該フィールドＦ１、Ｆ２、……毎に交互に青色光を帯びた色合いの画像に変動させることによりフリッカを発生させ、この結果ビデオカメラ３Ｂによる撮影を妨害し得るようになされている。
【００９４】
この場合、撮像妨害照明装置２では、スチルカメラ３Ａによって照明対象４が撮影された場合、当該撮影した瞬間に発光された赤色ＬＥＤ６Ａ、緑色ＬＥＤ６Ｂ、青色ＬＥＤ６Ｃ又はシアンＬＥＤ６Ｄのいずれかの色光（シアンＬＥＤ６Ｄにおいては分光感度特性から青色光となる）を帯びた色合いに画像を変化させて当該画像のカラーバランスを狂わせ、この結果スチルカメラ３Ａによる盗撮を妨害し得るようになされている。
【００９５】
また赤色ＬＥＤ６Ａ、緑色ＬＥＤ６Ｂ及び青色ＬＥＤ６Ｃの他、シアンＬＥＤ６Ｄを時分割で周期的に発光する場合としては、図１５に示すように、赤色ＬＥＤ６Ａ及び青色ＬＥＤ６Ｃを常時発光させ、緑色ＬＥＤ６Ｂ及びシアンＬＥＤ６Ｄだけを時分割で周期的に発光させるようにしても良い。
【００９６】
この場合、緑色ＬＥＤ６Ｂ及びシアンＬＥＤ６Ｄの発光時間Ｔｃを短くした場合のみならず、長くした場合であっても、ビデオカメラ３Ｂにおいては、照明対象４を撮影すると、シアンＬＥＤ６Ｄが発光されることにより青色光に帯びた色合い（上述したＣＣＤ撮像素子の分光感度特性による）の画像と、赤色ＬＥＤ６Ａ、緑色ＬＥＤ６Ｂ及び青色ＬＥＤ６Ｃが加色混合された白色光Ｗ２の画像とが交互に発生してフリッカが発生し、かくして上述の場合と同じようにビデオカメラ３Ｂによる撮影を妨害できる。
【００９７】
また上述の実施の形態においては、人間の視覚の残像現象により白色光Ｗ１が知覚されるように光源を選定した場合について述べたが、本発明はこれに限らず、人間の視覚の残像現象によりシアンやマゼンタ、黄色光等、他種々の色光が知覚されるように光源を選定しても良い。
【００９８】
さらに上述の実施の形態においては、撮像妨害照明装置２と撮像装置３とを赤外線を用いて通信するようにした場合について述べたが、本発明はこれに限らず、Ｂｌｕｅｔｏｏｔｈ　（ブルートゥース：登録商標）に準拠した近距離無線通信方式等の他の種々の無線通信方式で無線接続するようにしても良く、この場合、赤外線通信と赤外ＬＥＤ７による赤外線との干渉がないことから当該赤外ＬＥＤ７による赤外線の照射を数十［〓］の間隔で停止することなく撮像装置３と無線通信し得る。
【００９９】
【発明の効果】
上述のように本発明によれば、照明装置は、照明対象が撮像装置により撮影されても、当該撮像装置において照明対象を離散的に撮像していることから、当該撮像された時点で発光した単色光に基づいて、人間が知覚する加色混合された色合いと異なる色合いの画像で照明対象を撮影させて撮像装置におけるカラーバランスを狂わせることができ、かくして撮像装置による盗撮を妨害し得る照明装置を実現できる。
【図面の簡単な説明】
【図１】本発明による撮像妨害システムの全体構成を示す略線図である。
【図２】撮像妨害照明装置の対向面の構成を示す略線図である。
【図３】撮像妨害照明装置の回路構成を示すブロック図である。
【図４】赤色ＬＥＤ、緑色ＬＥＤ、青色ＬＥＤ、赤外ＬＥＤ及び妨害フラッシュライトの発光特性を示す略線図である。
【図５】ＣＩＥ色度図上で表した赤色光、緑色光及び青色光の略線図である。
【図６】赤色ＬＥＤ、緑色ＬＥＤ及び青色ＬＥＤ発光期間を示す略線図である。
【図７】妨害フラッシュライトのスレーブ発光の様子を示す略線図である。
【図８】ＣＣＤ撮像素子の感度特性を示す略線図である。
【図９】赤外線カットフィルタの透過特性を示す略線図である。
【図１０】撮像妨害処理手順を示すフローチャートである。
【図１１】赤色ＬＥＤ、緑色ＬＥＤ、青色ＬＥＤ、シアンＬＥＤ、赤外ＬＥＤ及び妨害フラッシュライトの発光特性を示す略線図である。
【図１２】ＣＩＥ色度図上で表したシアン光、赤色光、緑色光及び青色光の略線図である。
【図１３】他の実施の形態による赤色ＬＥＤ、緑色ＬＥＤ、青色ＬＥＤ及びシアンＬＥＤの発光期間（１）を示す略線図である。
【図１４】ＣＣＤ撮像素子の分光感度特性を示す略線図である。
【図１５】他の実施の形態による赤色ＬＥＤ、緑色ＬＥＤ、青色ＬＥＤ及びシアンＬＥＤの発光期間（２）を示す略線図である。
【符号の説明】
１……撮像妨害システム、２……撮像妨害照明装置、３……撮像装置、３Ａ……スチルカメラ、３Ｂ……ビデオカメラ、４……照明対象、５……撮像妨害モジュール、６……照明ＬＥＤ群、６Ａ……赤色ＬＥＤ、６Ｂ……緑色ＬＥＤ、６Ｃ……青色ＬＥＤ、７……赤外ＬＥＤ、８……フラッシュ検知用フォトダイオード、９……妨害フラッシュライト、１０……解除信号用フォトダイオード、１１……通信用ＬＥＤ、２０……制御部。
【図１】
2004111213.tif 000003
【図２】
2004111213.tif 000004
【図３】
2004111213.tif 000005
【図４】
2004111213.tif 000006
【図５】
2004111213.tif 000007
【図６】
2004111213.tif 000008
【図７】
2004111213.tif 000009
【図８】
2004111213.tif 000010
【図９】
2004111213.tif 000011
【図１０】
2004111213.tif 000012
【図１１】
2004111213.tif 000013
【図１２】
2004111213.tif 000014
【図１３】
2004111213.tif 000015
【図１４】
2004111213.tif 000016
【図１５】
2004111213.tif 000017